(57)【要約】【課題】導電板の装着及びアース線への接続が容易で、遊技球を確実に除電することが可能な遊技機を提供する。【解決手段】外部から供給される遊技球を一時的に貯留する遊技球タンク５１と、この遊技球タンク５１の下流側に接続され且つ遊技球タンク５１内の遊技球を払い出し装置４３側に誘導するタンクレール５２とを備えた遊技機で、タンクレール５２の両側壁６７，６８の内面に沿って配置された一組の導電板５７ａ，５７ｂと、それら導電板５７ａ，５７ｂをタンクレール５２の上側を跨いで導通させる導通部材５８とを備え、導電板５７ａ，５７ｂと導通部材５８との少なくとも１つにアース線９９を接続したものである。【選択図】図７
2010279595.tif 000002
【特許請求の範囲】
【請求項１】
外部から供給される遊技球を一時的に貯留する遊技球タンク（５１）と、この遊技球タンク（５１）の下流側に接続され且つ前記遊技球タンク（５１）内の遊技球を払い出し装置（４３）側に誘導するタンクレール（５２）とを備えた遊技機において、前記タンクレール（５２）の両側壁（６７，６８）の内面に沿って配置された一組の導電板（５７ａ，５７ｂ）と、それら導電板（５７ａ，５７ｂ）を前記タンクレール（５２）の上側を跨いで導通させる導通部材（５８）とを備え、前記導電板（５７ａ，５７ｂ）と前記導通部材（５８）との少なくとも１つにアース線（９９）を接続したことを特徴とする遊技機。
【請求項２】
前記タンクレール（５２）内は、その幅方向中央に配置された区分壁（７０）により二条の整列通路（６９ａ，６９ｂ）に区分されていることを特徴とする請求項１に記載の遊技機。
【請求項３】
前記導電板（５７ａ，５７ｂ）のうちの少なくとも一方を前記遊技球タンク（５１）の側壁（６２）まで延設したことを特徴とする請求項１又は２に記載の遊技機。
【請求項４】
前記タンクレール（５２）上に、前記タンクレール（５２）内の遊技球の重なりを解消して一列状に整列させる整列案内手段（５６）を設け、前記導電板（５７ａ，５７ｂ）と前記導通部材（５８）との接続端（９５，９７）同士を重ねて前記整列案内手段（５６）と共に前記タンクレール（５２）に対して共締めにより固定したことを特徴とする請求項１〜３の何れかに記載の遊技機。
【請求項５】
前記導電板（５７ａ，５７ｂ）と前記導通部材（５８）との接続端（９５，９７）に前記アース線（９９）の接続端（９９ａ）を重ねて前記整列案内手段（５６）と共に前記タンクレール（５２）に対して共締めにより固定したことを特徴とする請求項４に記載の遊技機。
【請求項６】
前記整列案内手段（５６）は、上向きに開放した前記タンクレール（５２）の上側を、遊技球が一個通過可能な高さを確保して略閉鎖する閉鎖板（７５）と、この閉鎖板（７５）の上流側に設けられ且つ前記タンクレール（５２）内の高さを徐々に絞って遊技球を一列状に整列させる収束案内部材（７６）とを備え、前記導通部材（５８）を前記閉鎖板（７５）の上面側に沿って配置したことを特徴とする請求項４又は５に記載の遊技機。
【発明の詳細な説明】
【技術分野】
【０００１】
本発明は、外部から供給される遊技球を一時的に貯留する遊技球タンクと、この遊技球タンクの下流側に接続され且つ遊技球タンク内の遊技球を払い出し装置側に誘導するタンクレールとを備えた遊技機に関するものである。
【背景技術】
【０００２】
遊技媒体として遊技球を用いる遊技機としては、遊技球を発射用にも用いる弾球遊技機、例えばパチンコ機が代表的であるが、その他にもメダルの代わりにパチンコ用の遊技球を用いるスロットマシン等も存在する。
【０００３】
この種の遊技機には、遊技島側の遊技球供給部から自動的に供給される遊技球を一時的に貯留するための例えば深皿状の遊技球タンクが設けられており、この遊技球タンクに供給された遊技球が、その下流側のタンクレール等を経て払い出し装置側に誘導されるようになっている。
【０００４】
ところで、遊技島には遊技球の研磨揚送装置が設置されており、その遊技島に設置された各遊技機から回収された遊技球は、その研磨揚送装置により研磨、揚送された後、配給樋を経て各遊技機に供給されるようになっている。従って、各遊技機の遊技球タンクに供給された遊技球は、研磨揚送装置によって研磨、搬送される間に摩擦によって発生した静電気に帯電している場合がある。
【０００５】
そこで、例えば特許文献１に記載された弾球遊技機では、アース線に接続された金属製の導電板をタンクレール上の底部、或いはタンクレール内を複数条の整列通路に区分する区分壁に沿って配置し、タンクレール上で遊技球をこの導電板に接触させて除電することで制御基板等へのノイズによる悪影響を防止している。
【先行技術文献】
【特許文献】
【０００６】
【特許文献１】特開２００２−１８０５４号公報
【発明の概要】
【発明が解決しようとする課題】
【０００７】
特許文献１に記載された弾球遊技機では、除電用の導電板をタンクレールの底部、或いは区分壁に沿って配置しているが、導電板をタンクレールの底部に配置する場合には、組み立て時の装着作業が難しく、また特にタンクレールの底部に溝等が設けられている場合などは、例えば導電板の縁部が溝等の側に突出していると導電板のゆがみ等の原因となり、逆に導電板の縁部が溝等の縁部よりも内側に入っていると遊技球と導電板との接触が不確実となるため、導電板の装着に対して高い正確性が要求されるという問題があった。
【０００８】
また、導電板を区分壁に配置する場合には、両側を通路に挟まれているためにアース線への接続は例えばタンクレールの底裏等において行うことが求められ、組み立て時の作業が煩雑になる等の問題があった。
【０００９】
本発明は上記事情に鑑みてなされたものであり、導電板の装着及びアース線への接続が容易で、遊技球を確実に除電することが可能な遊技機を提供することを目的とする。
【課題を解決するための手段】
【００１０】
本発明は、外部から供給される遊技球を一時的に貯留する遊技球タンク５１と、この遊技球タンク５１の下流側に接続され且つ前記遊技球タンク５１内の遊技球を払い出し装置４３側に誘導するタンクレール５２とを備えた遊技機において、前記タンクレール５２の両側壁６７，６８の内面に沿って配置された一組の導電板５７ａ，５７ｂと、それら導電板５７ａ，５７ｂを前記タンクレール５２の上側を跨いで導通させる導通部材５８とを備え、前記導電板５７ａ，５７ｂと前記導通部材５８との少なくとも１つにアース線９９を接続したものである。
【発明の効果】
【００１１】
本発明によれば、何れの導電板５７ａ，５７ｂについてもその一側はタンクレール５２の外側であることからタンクレール５２の上側から導通部材５８及びアース線９９と容易に接続することができ、しかも導電板５７ａ，５７ｂの装着に対してそれほど高い正確性が要求されることなく、遊技球を導電板５７ａ，５７ｂに確実に接触させて除電することが可能である。
【図面の簡単な説明】
【００１２】
【図１】本発明の一実施形態を示すパチンコ機の全体正面図である。
【図２】同じくガラス扉及び下部開閉扉を外した状態の正面図である。
【図３】同じく全体背面図である。
【図４】同じく遊技球タンクユニットの背面図である。
【図５】同じく遊技球タンクユニットの平面図である。
【図６】同じく遊技球タンクユニットの斜視図である。
【図７】同じく遊技球タンクユニットの分解斜視図である。
【図８】同じく図５におけるＡ−Ａ断面図である。
【図９】同じく図５におけるＢ−Ｂ断面図である。
【図１０】同じく遊技球タンクユニットの要部斜視図である。
【発明を実施するための形態】
【００１３】
以下、本発明の実施形態を図面に基づいて詳述する。図１〜図１０は本発明をパチンコ機に採用した一実施形態を例示している。図１〜図３において、遊技機本体１は、矩形状の外枠２と、この外枠２の左右一側、例えば左側のヒンジ３を介して縦軸心廻りに開閉自在及び着脱自在に枢着された内枠４とを備えている。
【００１４】
内枠４には、その上部側に設けられた上部装着部５に遊技盤６が、その上部装着部５の下側に設けられた下部装着部７に発射手段８等が夫々配置されており、その内枠４の前側には、上部装着部５に対応するガラス扉９と、下部装着部７に対応する下部開閉扉１０とがヒンジ３と同じ側のヒンジ１１により開閉自在及び着脱自在に枢着されている。
【００１５】
ガラス扉９には、遊技盤６側の遊技領域６ａに対応するガラス窓１２が設けられ、また下部開閉扉１０には、払い出された遊技球を貯留すると共にその遊技球を発射手段８側に案内する上皿１３、この上皿１３が満杯となったときにその余剰球を受けて貯留する下皿１４、発射手段８を作動させるための発射ハンドル１５等が設けられている。
【００１６】
上部装着部５には、遊技盤６を装着するための遊技盤装着枠１６が設けられており、遊技盤６はこの遊技盤装着枠１６に対して例えば前側から装着され、１又は複数の固定具１６ａにより着脱自在に固定されている。遊技盤６の前面側には、発射手段８により発射された遊技球を遊技領域６ａの上部側に案内する外レール２１と、遊技領域６ａの周囲を規定する周壁の少なくとも一部を構成する内レール２２とが立設されると共に、遊技領域６ａ内には、その略中央に画像表示手段を備えたセンターケース２３が配置され、更にそのセンターケース２３の左側に通過ゲート２４が、下側に開閉式入賞手段２５及び大入賞手段２６が配置される他、普通入賞手段２７、風車２８等の各種遊技部品が装着されている。
【００１７】
また遊技盤６の裏面側には、図３に示すように、センターケース２３等の遊技部品を後側から覆う裏ケース３０ａと、その裏ケース３０ａの下側に配置される集球ケース３０ｂとが装着され、例えばその集球ケース３０ｂの背面側に主制御基板３１ａが格納された主基板ケース３１が、裏ケース３０ａの背面側に演出制御基板３２ａが格納された演出基板ケース３２、液晶制御基板３３ａが格納された液晶基板ケース３３等が着脱自在に装着されており、これらが内枠４に設けられた開口部（図示省略）に前側から嵌合している。
【００１８】
下部装着部７には、図２に示すようにその前側の例えば左右方向略中央に発射手段８が配置され、下部開閉扉１０側の上皿１３からこの発射手段８に発射用の遊技球が供給されるようになっている。発射手段８は、板金製の支持板３４と、この支持板３４の前面に装着された発射レール３５と、支持板３４の前面で前後方向の駆動軸廻りに揺動自在に支持された打撃槌３６と、支持板３４の裏側に装着され且つ打撃槌３６を打撃方向に駆動するロータリソレノイド等の発射駆動手段３７等を備え、発射ハンドル１５が操作されたときに発射駆動手段３７により打撃槌３６を打撃方向（時計廻り）に間欠的に駆動することにより、上皿１３から発射レール３５上に供給された遊技球を発射レール３５に沿って打撃して遊技盤６側に発射させるようになっている。
【００１９】
また、発射手段８の左側には、後述する払い出し装置４３から払い出された遊技球を下部開閉扉１０側の上皿１３に排出すると共に上皿１３が満杯となったときにその余剰球を下皿１４側に案内する分岐通路ユニット３８等が、右側には下部スピーカ３９が夫々配置されている。
【００２０】
内枠４の後側には、開口部の後側を略覆う裏カバー４０が開閉自在に装着されると共に、その裏カバー４０で覆われた開口部の上側に遊技球タンクユニット４１が、左右一側、例えばヒンジ３側に払い出し供給通路ユニット４２、払い出し装置４３、払い出し排出通路ユニット４４等が配置されており、遊技球が大入賞手段２６等の入賞口に入賞したとき、又は図外の自動球貸し機から球貸し指令があったときに、遊技球タンクユニット４１内の遊技球を払い出し供給通路ユニット４２内の払い出し供給通路４５を経て払い出し装置４３により払い出し、その遊技球を払い出し排出通路ユニット４４の払い出し排出通路４６、分岐通路ユニット３８を経て上皿１３に案内するようになっている。
【００２１】
また、下部装着部７の背面側には、基板装着台４７が着脱自在に装着されており、この基板装着台４７の背面側に、例えば電源基板４８ａが格納された電源基板ケース４８と、払い出し制御基板４９ａが格納された払い出し基板ケース４９とが着脱自在に装着されている。
【００２２】
続いて、図４〜図１０に基づいて遊技球タンクユニット４１の構成について詳述する。遊技球タンクユニット４１は、遊技球タンク５１とタンクレール５２とを一体に備えたユニット本体５３、このユニット本体５３に装着される高さ制限部材５４、球均し手段５５、整列案内手段５６、一組の導電板５７ａ，５７ｂ、導通部材５８等を備えており、内枠４の裏側上部に着脱自在に装着されている。
【００２３】
ユニット本体５３は、内枠４の上縁側に沿って左右方向に配置されており、例えばその右部分が遊技球タンク５１、左部分がタンクレール５２となっている。遊技球タンク５１は、遊技島側の遊技球供給部５９（図３）から自動的に供給される遊技球を受けて一時的に貯留するもので、上側が開放された深皿状に形成され、左端部に左向きに形成された流下口６１に向けて遊技球を自然に流下させるようになっている。
【００２４】
なお、流下口６１は、遊技球タンク５１の後縁側に立設されるタンク後壁（側壁）６２に沿うように、遊技球タンク５１に対して後寄りの位置に設けられており、タンク底壁６３は例えばその前部側が後下がりの傾斜状に、後部側が流下口６１側に向けて左下がりの傾斜状に夫々形成されて遊技球をタンク後壁６２に沿って流下口６１側に緩やかに案内するようになっている。
【００２５】
タンクレール５２は、遊技球タンク５１内の遊技球を整列させつつ下流側の払い出し供給通路ユニット４２側に案内するもので、その上流端側は遊技球タンク５１の流下口６１に左側から一体に連結され、下流端側は例えば左向きに開放するタンクレール流出口６４となっており、そのタンクレール流出口６４が、払い出し供給通路ユニット４２の上端側に設けられた右向き開口状の流入口６５に接続されている。
【００２６】
タンクレール５２は、遊技球タンク５１側から払い出し供給通路ユニット４２側に向けて左下がりの緩やかな傾斜状に形成されたレール底壁６６と、このレール底壁６６の前縁側及び後縁側から上向きに立設された一対のレール前側壁６７及びレール後側壁６８と、それらレール前側壁６７とレール後側壁６８との中間に立設され且つタンクレール５２上を互いに隣接する前後二条の整列通路６９ａ，６９ｂに区分する区分壁７０とを一体に備えた上向き開放状に形成されている。
【００２７】
レール前側壁６７とレール後側壁６８とは略同一の形状を有し、またそれらと区分壁７０の高さは下流側ほど低くなっており、下流端側の一定区間については遊技球略一個分の高さに形成されている。なお、レール後側壁６８は、遊技球タンク５１のタンク後壁６２と同一平面をなすように連結されている。
【００２８】
整列通路６９ａ，６９ｂは、遊技球略一個分の幅に形成されており、夫々遊技球を一列状に整列させつつ下流側に案内するようになっている。なお、レール底壁６６には、整列通路６９ａ，６９ｂの幅方向中央に対応して夫々スリット７１が形成されている。
【００２９】
高さ制限部材５４は、遊技球タンク５１からタンクレール５２へと流下する遊技球の積層高さを制限すると共にユニット本体５３を補強するもので、遊技球タンク５１からタンクレール５２への流下口６１に対応して配置されており、タンクレール５２を横断するようにレール前側壁６７側とレール後側壁６８側とをその上端側で接続する接続部５４ａと、この接続部５４ａの例えば上流側の縁部から下向きに延設された制限部５４ｂ（図８等）とを一体に備え、接続部５４ａのレール幅方向両端側がレール前側壁６７側とレール後側壁６８側とに夫々ねじ止め等により着脱自在に固定されている。
【００３０】
これにより、遊技球タンク５１からタンクレール５２への流下口６１はその高さが制限部５４ｂにより制限され、これ以上高く積み重なったままで遊技球がタンクレール５２側に流下することはない。
【００３１】
球均し手段５５は、上下に重なった状態でタンクレール５２内に流入してきた遊技球を均すためのもので、例えば高さ制限部材５４の下流側近傍に整列通路６９ａ，６９ｂに対応して夫々配置されており、１又は複数個の錘７３ａ（図８）が収容された球均し部７３と、この球均し部７３をレール前側壁６７とレール後側壁６８との間に架設されたレール幅方向（ここでは前後方向）の吊り下げ軸７２廻りに揺動自在に支持するアーム部７４とを例えば一体に備えている。
【００３２】
球均し手段５５は、図８に示すように球均し部７３が下向きとなって吊り下げ軸７２の下側に吊り下げられた状態となり、そのときの球均し部７３の下端側とレール底壁６６との間には遊技球一個分程度の隙間が形成されるようになっており、遊技球が積み重なった状態で整列通路６９ａ，６９ｂ内を流下する際に、球均し部７３がその二層目より上側の遊技球の通過を自重による一定の力で制限することで遊技球の重なりを崩すようになっている。
【００３３】
整列案内手段５６は、整列通路６９ａ，６９ｂ内の遊技球の重なりを完全に解消して一列状に整列させるためのもので、図７，図８等に示すように、タンクレール５２の下流端側に設けられ且つ夫々遊技球が一個通過可能な高さを確保して整列通路６９ａ，６９ｂの上側を略閉鎖する閉鎖板７５と、この閉鎖板７５の上流側に設けられ且つ整列通路６９ａ，６９ｂの高さを徐々に絞って遊技球を一列状に整列させる収束案内部材７６と、閉鎖板７５の上流側で遊技球の流下を解除可能に阻止する流下阻止部材７７とを備えている。
【００３４】
閉鎖板７５は、タンクレール５２の下流側端部から上流側所定範囲に対応して設けられており、例えばその下流側端部にタンクレール５２の幅方向外側に向けて一対の固定フランジ７８が突設されており、この固定フランジ７８を、図６，図７に示すようにレール前側壁６７及びレール後側壁６８の外面側に一体に設けられた固定基部７９に対して固定ねじ８０によりねじ止めすることによりタンクレール５２に対して着脱自在に固定されている。
【００３５】
閉鎖板７５の上面側には、レール幅方向（ここでは前後方向）の支持軸８１を支持する一対の軸支持部８２が一体に設けられており、この支持軸８１に収束案内部材７６及び流下阻止部材７７が装着されている。
【００３６】
収束案内部材７６は、閉鎖板７５の上面側に沿って配置されており、その下流端側の軸着部７６ａにおいて支持軸８１により揺動自在に支持され、上流端側は閉鎖板７５よりも上流側で緩やかに上向きに屈曲すると共にその先端部に錘８３が装着されている。また、収束案内部材７６には、閉鎖板７５よりも上流側の位置に、整列通路６９ａ，６９ｂに夫々対応する一対の挿通孔８４ａ，８４ｂが上下方向貫通状に形成されている。
【００３７】
なお、例えば閉鎖板７５には、その上流側端部近傍に、収束案内部材７６の長手方向中間位置に上側から係合してその上向きの揺動を所定範囲に規制する揺動規制部８５が例えば一体に設けられている。
【００３８】
流下阻止部材７７は、収束案内部材７６の上側に配置されており、その上流端側には整列通路６９ａ，６９ｂに沿って夫々配置される一対の流下阻止部８６ａ，８６ｂが設けられ、下流端側の軸着部８７において支持軸８１により揺動自在に支持されている。流下阻止部８６ａ，８６ｂは、例えば支持軸８１の半径方向に沿って上流側に伸びるアーム部８８と、そのアーム部８８の先端側から下向きに屈曲する規制爪部８９とを弾性変形可能に一体に備えている。
【００３９】
流下阻止部材７７は、通常時は図８に実線で示すように流下阻止部８６ａ，８６ｂの規制爪部８９が挿通孔８４ａ，８４ｂの上流側近傍で収束案内部材７６上に載った待避状態で保持されており、規制爪部８９が下流側に向けて弾性変形され、図８に二点鎖線で示すように挿通孔８４ａ，８４ｂ内に挿入されて整列通路６９ａ，６９ｂ内に突出する流下阻止状態となったとき、その規制爪部８９によってそれよりも上流側の遊技球の流下が阻止されるようになっている。
【００４０】
導電板５７ａ，５７ｂは例えばステンレス等の金属製で、一方の前導電板５７ａはレール前側壁６７の内面側に、他方の後導電板５７ｂはレール後側壁６８から例えばその上流側のタンク後壁６２にかけての内面側に夫々配置されている。
【００４１】
前導電板５７ａは、レール前側壁６７の内面に沿ってその長手方向の略全体にわたって配置される接触板９１と、この接触板９１の長手方向複数箇所に上向き突出状に設けられ且つその先端側がレール前側壁６７の上縁に沿って外向き略Ｊ字型に折り曲げられた上係合部９２と、レール前側壁６７に沿ってレール底壁６６に設けられた貫通孔９３ａに対応して接触板９１の長手方向複数箇所に下向き突出状に設けられた下係合部９４と、接触板９１の下流端側に設けられた接続端９５とを一体に備えており、下係合部９４を貫通孔９３ａに上側から挿通させ、上係合部９２をレール前側壁６７の上縁に係合させた状態で下係合部９４をレール底壁６６の下側で折り曲げることによりユニット本体５３に固定されるようになっている。
【００４２】
また、後導電板５７ｂについても前導電板５７ａと略同じで、レール後側壁６８からタンク後壁６２にかけての内面に沿ってその長手方向の略全体にわたって配置される接触板９１と、この接触板９１の長手方向複数箇所に上向き突出状に設けられ且つその先端側がレール後側壁６８及びタンク後壁６２の上縁に沿って外向き略Ｊ字型に折り曲げられた上係合部９２と、レール後側壁６８及びタンク後壁６２に沿ってレール底壁６６及びタンク底壁６３に設けられた貫通孔９３ｂに対応して接触板９１の長手方向複数箇所に下向き突出状に設けられた下係合部９４と、接触板９１の下流端側に設けられた接続端９５とを一体に備えており、下係合部９４を貫通孔９３ｂに上側から挿通させ、上係合部９２をレール後側壁６８及びタンク後壁６２の上縁に係合させた状態で下係合部９４をレール底壁６６の下側で折り曲げることによりユニット本体５３に固定されるようになっている。
【００４３】
接触板９１は、その下端側がレール底壁６６、タンク底壁６３に略沿うように配置され、またその上下幅は装着されるレール前側壁６７、レール後側壁６８、タンク後壁６２の高さに対応して例えば下流側よりも上流側の方が大きくなっており、更に球均し手段５５、収束案内部材７６等の可動部材の可動範囲を避けた形状に形成されている。
【００４４】
接続端９５は、閉鎖板７５の固定フランジ７８の上面側に沿うように配置され、その中央にねじ挿通孔９５ａが形成されており、接続端支持部９６により接触板９１の上縁側に連結されている。接続端支持部９６は、例えば最も下流端側の上係合部９２の上流側に設けられており、図９及び図１０に示すように、接触板９１の上縁側からレール前側壁６７、レール後側壁６８の上縁側に沿ってレール幅方向外向きに延設される横支持部９６ａと、この横支持部９６ａの例えば上流側縁部から固定フランジ７８の下流側に沿って上向きに延設される縦支持部９６ｂとを備え、この縦支持部９６ｂの上端側に接続端９５の下流端側が連結されている。なお、横支持部９６ａを下側から支持する支持片７８ａが、例えば固定フランジ７８に対してその下流側に一体に設けられている。
【００４５】
整列案内手段５６は、固定フランジ７８が導電板５７ａ，５７ｂの接続端９５の下面側に、閉鎖板７５が導電板５７ａ，５７ｂの最下流側の上係合部９２の上面側に夫々沿うように予め導電板５７ａ，５７ｂと組み合わせた状態で、導電板５７ａ，５７ｂと共にユニット本体５３に装着される（図１０（ａ））。これにより、導電板５７ａ，５７ｂの最下流側の上係合部９２は、閉鎖板７５とレール前側壁６７又はレール後側壁６８とで上下両側から挟持された状態となる。
【００４６】
導通部材５８は例えばステンレス等の金属製で、前後の導電板５７ａ，５７ｂの各接続端９５に対応する一対の接続端９７と、これら一対の接続端９７を閉鎖板７５の上面側に沿って連結する連結板９８とを一体に備えている。この導通部材５８は、図１０に示すように、ユニット本体５３に導電板５７ａ，５７ｂ及び整列案内手段５６が装着された後、接続端９７を導電板５７ａ，５７ｂの各接続端９５に重ねるように閉鎖板７５の上面側に装着される。
【００４７】
導通部材５８が装着された後、導通部材５８の接続端９７、導電板５７ａ，５７ｂの接続端９５及び閉鎖板７５の固定フランジ７８がユニット本体５３側の固定基部７９に対して固定ねじ８０により共締めにより固定されるが、その際に、前後何れか一方の接続端９７、接続端９５に更にアース線９９の接続端９９ａが重ねられて共締めされる。これにより、整列案内手段５６がユニット本体５３に固定されると同時に、前後の導電板５７ａ，５７ｂが導通部材５８、アース線９９を介して接地される。
【００４８】
以上説明したように、本実施形態のパチンコ機では、タンクレール５２の両側壁６７，６８の内面に沿って配置された一組の導電板５７ａ，５７ｂと、それら導電板５７ａ，５７ｂをタンクレール５２の上側を跨いで導通させる導通部材５８とを備え、それらにアース線９９を接続しているため、何れの導電板５７ａ，５７ｂについてもその一側はタンクレール５２の外側であることからタンクレール５２の上側から導通部材５８及びアース線９９と容易に接続することができ、しかも導電板５７ａ，５７ｂの装着に対してそれほど高い正確性が要求されることなく、遊技球を導電板５７ａ，５７ｂに確実に接触させて除電することが可能である。
【００４９】
また、タンクレール５２内は、その幅方向中央に配置された区分壁７０により二条の整列通路６９ａ，６９ｂに区分されているにも拘わらず、導電板５７ａ，５７ｂによってそれら二条の整列通路６９ａ，６９ｂ内の遊技球を確実に除電できる。
【００５０】
また、導電板５７ｂを遊技球タンク５１のタンク後壁６２まで延設しているため、タンクレール５２内だけでなくその上流側の遊技球タンク５１内においても遊技球を導電板に接触させることができ、遊技球をより確実に且つなるべく早い段階で除電することができる。
【００５１】
また、タンクレール５２上に、整列通路６９ａ，６９ｂ内の遊技球の重なりを解消して一列状に整列させる整列案内手段５６を設け、導電板５７ａ，５７ｂと導通部材５８との接続端９５，９７同士を重ねて整列案内手段５６と共にタンクレール５２に対して共締めにより固定しているため、導電板５７ａ，５７ｂと導通部材５８との接続、及びタンクレール５２に対する整列案内手段５６の固定を同時に行うことができる。
【００５２】
更に、導電板５７ａ，５７ｂと導通部材５８との接続端９５，９７にアース線９９の接続端９９ａを重ねて整列案内手段５６と共にタンクレール５２に対して共締めにより固定しているため、導電板５７ａ，５７ｂと導通部材５８との接続だけでなく、それらとアース線９９との接続についても、タンクレール５２に対する整列案内手段５６の固定と同時に行うことができる。
【００５３】
また、整列案内手段５６は、上向きに開放したタンクレール５２の上側を遊技球が一個通過可能な高さを確保して略閉鎖する閉鎖板７５と、この閉鎖板７５の上流側に設けられ且つタンクレール５２内の高さを徐々に絞って遊技球を一列状に整列させる収束案内部材７６とを備え、導通部材５８を閉鎖板７５の上面側に沿って配置しているため、導通部材５８を容易に装着することができ、しかもその導通部材５８がタンクレール５２内の遊技球の流れを阻害することもない。
【００５４】
以上、本発明の実施形態について詳述したが、本発明はこれらの実施形態に限定されるものではなく、本発明の趣旨を逸脱しない範囲で種々の変更が可能である。例えば、実施形態では、一組の導電板５７ａ，５７ｂのうち、レール後側壁６８側に配置される導電板５７ｂのみを遊技球タンク５１側のタンク後壁６２側まで延設しているが、他方の導電板５７ａのみを遊技球タンク５１側まで延設してもよいし、導電板５７ａ，５７ｂを共に遊技球タンク５１側まで延設してもよい。
【００５５】
但し、上記実施形態の場合には遊技球タンク５１内の遊技球は後側のタンク後壁６２側に誘導されるため、導電板５７ａ，５７ｂの一方のみを遊技球タンク５１側まで延設するのであれば上記実施形態のようにタンク後壁６２側の導電板５７ｂを延設するほうがより効果的であると考えられる。もちろん、導電板５７ａ，５７ｂを遊技球タンク５１側まで延設することなくタンクレール５２内にのみ配置してもよい。
【００５６】
実施形態ではタンクレール５２を遊技球タンク５１の後寄りの位置に接続したが、前寄りの位置、或いは前後方向略中央に接続してもよい。また、タンクレール５２の上側、或いは前後一側に遊技球タンク５１を配置してもよい。
【００５７】
導電板５７ａ，５７ｂ、導通部材５８及びアース線９９は、整列案内手段５６以外の部材、例えば高さ制限部材５４と共にタンクレール５２に固定してもよい。またタンクレール５２は必ずしも区分壁７０により二条に区分されている必要はない。
【００５８】
更に、実施形態では本発明をパチンコ機に適用した例を示したが、アレンジボール機等のその他の弾球遊技機はもちろん、メダルの代わりにパチンコ球を用いたスロットマシン等、遊技媒体として遊技球を用いる遊技機において同様に実施可能であることは言うまでもない。
【符号の説明】
【００５９】
４３    払い出し装置
５１    遊技球タンク
５２    タンクレール
５６    整列案内手段
５７ａ  前導電板（導電板）
５７ｂ  後導電板（導電板）
５８    導通部材
６２    タンク後壁（遊技球タンク側壁）
６７    レール前側壁（タンクレール側壁）
６８    レール後側壁（タンクレール側壁）
６９ａ  整列通路
６９ｂ  整列通路
７０    区分壁
７５    閉鎖板
７６    収束案内部材
９５    接続端
９７    接続端
９９    アース線
９９ａ  接続端
【図１】
2010279595.tif 000003
【図２】
2010279595.tif 000004
【図３】
2010279595.tif 000005
【図４】
2010279595.tif 000006
【図５】
2010279595.tif 000007
【図６】
2010279595.tif 000008
【図７】
2010279595.tif 000009
【図８】
2010279595.tif 000010
【図９】
2010279595.tif 000011
【図１０】
2010279595.tif 000012